(57)【要約】【課題】外付手摺体を備える手摺において、手摺を伝わって落ちる雨水が建物外面に沿って流れ落ちることを防止する。【解決手段】パラペット２に複数の支柱12を間隔を置いて立設し、これら支柱12の取付部外側に外付手摺体14を設けた手摺11において、外付手摺体14を伝わって落ちる雨水をパラペット２の外に案内する雨水ガイド体21を備える。この雨水ガイド体21は雨水の受け面22を有し、雨水ガイド体21の下部をパラペット２の外面４より外側に配置したから、外付手摺体14を伝わって落ちる雨水は、雨水ガイド体21の受け面22上に落ち、雨水ガイド体21の下部から落下し、この雨水ガイド体21の下部はパラペット２の外面４より外側であるため、建物１の外面に沿って雨水が流れ落ちることを防止できる。【選択図】図１
2007231638.tif 000002
【特許請求の範囲】
【請求項１】
取付部に複数の支柱を間隔を置いて立設し、これら支柱の取付部外側に外付手摺体を設けた手摺において、前記外付手摺体を伝わって落ちる雨水を前記取付部の外に案内する雨水ガイド体を備えることを特徴とする手摺。
【請求項２】
前記外付手摺体の下部に前記雨水ガイド体を設け、この雨水ガイド体は前記雨水の受け面を有し、前記雨水ガイド体の下部を前記取付部の外面より外側に配置したことを特徴とする請求項１記載の手摺。
【請求項３】
前記外付手摺体は複数の縦桟を有し、これら縦桟の下部にそれぞれ前記雨水ガイド体を設け、これら雨水ガイド体の下部を前記取付部の外面より外側に配置したことを特徴とする請求項１記載の手摺。
【請求項４】
前記雨水ガイド体の上部は、前記外付手摺体より取付部内側に位置することを特徴とする請求項２記載の手摺。
【発明の詳細な説明】
【技術分野】
【０００１】
本発明は、パラペットやバルコニーなどの取付部に複数の支柱を間隔を置いて立設し、これら支柱の取付部外側に外付手摺体を設けた手摺に関する。
【背景技術】
【０００２】
従来、この種の手摺は、パラペットやバルコニーなどの取付部に複数の支柱を間隔を置いて立設し、それら支柱間に横桟と縦桟から成る手摺体を設けたり、板材からなる面体を設けたりして構成される。そして、取付部であるパラペットや笠木の上面は、外側から内側に低くなる傾斜に形成され、手摺を伝わって落ちる雨水などを内側に流し、外側に流れることを防止している（例えば特許文献１及び特許文献２）。
【０００３】
上述したような従来の手摺に対して、前記手摺体や面体などの外付用手摺体を、支柱の外側に設け、デザインを変化し得るようにした持出し手摺（例えば特許文献３及び特許文献４）が提案されている。
【特許文献１】特開平９−１１９８８号公報
【特許文献２】特開平１１−９３３６４号公報
【特許文献３】特開平９−２４２２９２号公報
【特許文献４】特開２００４−１０７８８７号公報
【発明の開示】
【発明が解決しようとする課題】
【０００４】
上記持出し手摺では、外付用手摺体が取付部外側に設けられているため、その外付用手摺体を伝わって落ちる雨水が、取付部外側の建物外面に沿って流れ落ち、この流れ落ちた雨水には、外付用手摺体に付着した塵や埃が含まれるため、建物の外面を汚すなどの不具合が発生する虞がある。
【０００５】
そこで、本発明は、このような問題を解決しようとするもので、外付手摺体を備える手摺において、手摺を伝わって落ちる雨水が建物外面に沿って流れ落ちることを防止できる手摺を提供することを目的とする。
【課題を解決するための手段】
【０００６】
請求項１の発明は、取付部に複数の支柱を間隔を置いて立設し、これら支柱の取付部外側に外付手摺体を設けた手摺において、前記外付手摺体を伝わって落ちる雨水を前記取付部の外に案内する雨水ガイド体を備えるものである。
【０００７】
また、請求項２の発明は、前記外付手摺体の下部に前記雨水ガイド体を設け、この雨水ガイド体は前記雨水の受け面を有し、前記雨水ガイド体の下部を前記取付部の外面より外側に配置したものである。
【０００８】
また、請求項３の発明は、前記外付手摺体は複数の縦桟を有し、これら縦桟の下部にそれぞれ前記雨水ガイド体を設け、これら雨水ガイド体の下部を前記取付部の外面より外側に配置したものである。
【０００９】
また、請求項４の発明は、前記雨水ガイド体の上部は、前記外付手摺体より取付部内側に位置するものである。
【発明の効果】
【００１０】
請求項１の発明によれば、外付手摺体を伝わって落ちる雨水は、雨水ガイド体より取付部の外に案内されるため、建物の外面に伝って流れ落ちることを防止できる。これにより、手摺に付着した塵などを含む雨水によって、建物の外面が汚れることを防止できる。
【００１１】
また、請求項２の発明によれば、外付手摺体を伝わって落ちる雨水は、雨水ガイド体の受け面に落ち、雨水ガイド体の下部から落下し、この雨水ガイド体の下部は取付部の外面より外側であるため、取付部の外面に沿って雨水が流れ落ちることを防止できる。
【００１２】
また、請求項３の発明によれば、縦桟に沿って流れ落ちる雨水は、そのまま雨水ガイド体の下部から落下するため、建物の外面に伝って流れ落ちることを防止できる。
【００１３】
また、請求項４の発明によれば、外付手摺体の取付部内側に沿って流れ落ちる雨水も、雨水ガイド体の上部により確実に受け面へと案内することができる。
【発明を実施するための最良の形態】
【００１４】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な手摺を採用することにより、従来にない手摺が得られ、その手摺を夫々記述する。
【実施例１】
【００１５】
以下、本発明の手摺を添付図面を参照して説明する。図１〜図４は、本発明の実施例１を示し、同図に示すように、建物１には、コンクリートから成る取付部たるパラペット２が設けられており、このパラペット２の上面３は外側から内側に向って低くなる傾斜をなす。そして、前記パラペット２の外面４は、前記建物１の外面を構成する。
【００１６】
前記パラペット２には手摺11が設けられ、この手摺11は、前記パラペット２の上面３の内外方向略中央に立設する支柱12を有し、この支柱12をパラペット２の長さ方向に間隔を置いて複数立設し、これら複数の支柱12，12…の上部を、笠木たる上横桟13により連結している。
【００１７】
また、前記手摺11は、前記支柱12の取付部外側に設ける外付手摺体14と、この外付手摺体14を前記支柱12に固定する固定部材15とを備える。この固定部材15は、前記支柱12の取付部外側で、上下に設けた固定横桟16，16を備え、これら固定横桟16，16は、ビスなどの取付手段17により、前記支柱12の外面（取付部外側の面）に固定され、それら固定横桟16，16の取付部外側の外面に、前記外付手摺体14を構成する複数の縦桟18，18がビスなどの取付手段17により固定されており、それら複数の縦桟18，18はパラペット２の長さ方向に所定の間隔を置いて配置されている。そして、この例では、前記固定手段15は、固定横桟16と取付手段17とを備える。
【００１８】
尚、図３に示すように、この例では、前記支柱12は断面略正方形をなし、前記縦桟18は、取付部内外方向に長い断面略長方形形状をなす。
【００１９】
そして、それら支柱12や縦桟18などの手摺の各部材は、アルミニウムの押出成形品などにより構成され、長さ方向に同一断面が形成されている。
【００２０】
図２に示すように、縦桟18の下方に、傾斜した上面３が位置していても、外付手摺体14を構成する縦桟18が支柱12の取付部外側にあって、雨の勢いが強いと、縦桟18を伝わって落下する雨水が、上面３に落下して跳ねるなどして、外面４に伝わって流れてしまう。また、外向きの風により外面４側に流れる場合もある。
【００２１】
そこで、本発明では、前記外付手摺体14を伝わって該外付手摺体14の下部から落下する雨水を前記外面４と離れた外側から落下させる雨水ガイド体21を備える。この雨水ガイド体21は、図２などに示すように、前記外付手摺体14の下端と間隔を置いて下方に位置する受け面22を備え、この受け面22は取付部外側が低くなる傾斜を有し、その受け面22の上部には、前記外付手摺体14の取付部内側と隙間Ｓを有する立壁部23を立設し、この立壁部23と前記外付手摺体14の取付部内側の内面18Ｎとの間にスペーサ24を設け、このスペーサ24に挿通したビスなどの取付手段17により前記雨水ガイド体21を外付手摺体14に固定している。すなわち、前記立壁部23とスペーサ24に挿通した取付手段17を縦桟18に螺着している。
【００２２】
尚、取付手段17は複数ある縦桟18のうち適宜な数の縦桟18に設けられる。また、縦桟18の上下に蓋体18Ｆ，18Ｆを設けて該縦桟18の上下開口を塞いでいる。
【００２３】
また、前記立壁部23の上端には、取付部内側の斜め上方に向いた案内部25が設けられ、この案内部25は上方に向うに従って前記縦桟18から離れていく。また、前記受け面22の下部には、下方に垂設した垂設部26が設けられ、この垂設部26の下部は、下方に向って外面４から離れる湾曲部26Ａに形成され、前記外面２より外側に位置している。
【００２４】
尚、前記雨水ガイド体21は、前記外付手摺体14の全長に渡って設けられている。また、雨水ガイド体21は図１及び図２に示したように板材を屈曲した形状をなし、合成樹脂や、アルミニウム，アルミニウム合金など各種の材質のものから形成される。
【００２５】
次に、前記構成につき、その作用を説明すると、外付手摺体14の縦桟18に降った雨水が、該縦桟18を伝わりながら、縦桟18に付着する塵などとともにその下端から流れ落ちると、この流れ落ちた雨水は、受け面22の上に落ち、該受け面22と垂設部26とに案内されて、該垂設部26の下端から下方に落下し、これにより塵を含む雨水が外面４を伝わって流れ落ちることを防止できる。そして、雨水ガイド体21の上部は縦桟18の内面と隙間Ｓを置いて該縦桟18に取り付けられているから、縦桟18の内面18Ｎを伝わって落ちる雨水が、立壁部23の取付部内側面から上面３に落下することもなく、また、上方に向って縦桟18から離れる案内部25により雨水を受け面22へと案内できる。
【００２６】
また、受け面22の下端には所定高さ寸法を有する垂設部26を設けたから、垂設部26の下端から落下する雨水は、毛細管現象などにより該垂設部26の裏面に回り込むことがなく、外面４側に雨水が落下することを防止できる。
【００２７】
このように本実施例では、請求項１に対応して、取付部たるパラペット２に複数の支柱12を間隔を置いて立設し、これら支柱12の取付部外側に外付手摺体14を設けた手摺11において、外付手摺体14を伝わって落ちる雨水をパラペット２の外に案内する雨水ガイド体21を備えるから、外付手摺体を伝わって落ちる雨水は、雨水ガイド体21により取付部の外に案内されるため、建物１の外面に伝って流れ落ちることを防止できる。
【００２８】
また、このように本実施例では、請求項２に対応して、外付手摺体14の下部に雨水ガイド体21を設け、この雨水ガイド体21は雨水の受け面22を有し、雨水ガイド体21の下部を取付部たるパラペット２の外面４より外側に配置したから、外付手摺体14を伝わって落ちる雨水は、雨水ガイド体21の受け面22上に落ち、雨水ガイド体21の下部から落下し、この雨水ガイド体21の下部はパラペット２の外面４より外側であるため、建物１の外面に沿って雨水が流れ落ちることを防止できる。
【００２９】
また、このように本実施例では、請求項４に対応して、雨水ガイド体21の上部は、外付手摺体14より取付部内側に位置するから、外付手摺体14の取付部内側である内面18Ｎに沿って流れ落ちる雨水も、雨水ガイド体21の上部により確実に受け面22へと案内することができる。
【００３０】
また、実施例上の効果として、雨水ガイド体21の上部は縦桟18の内面と隙間Ｓを置いて該縦桟18に取り付けられているから、縦桟18の内面18Ｎを伝わって落ちる雨水が、立壁部23の取付部内側面から上面３に落下することもなく、また、雨水ガイド体21と外付手摺体14の縦桟18とがスペーサ24により離れて配置され、接触しないから、雨水ガイド体21を伝わって雨水がスムーズに落下する。さらにまた、上方に向って縦桟18から離れる案内部25により雨水を受け面22へと確実に案内することができる。
【実施例２】
【００３１】
図５〜図７は、本発明の実施例２を示し、上記実施例１と同一部分に同一符号を付し、その詳細な説明を省略して詳述すると、この例では、支柱12に前記外付手摺体14を固定する固定部材15Ａは、前記固定横桟16と支柱12とを連結するブラケット19を備え、このブラケット19は取付部内外方向に長く形成され、そのブラケット19の先端が前記固定横桟16に固着されており、ビスなどの取付手段20により、そのブラケット19の基端を前記支柱12の側面に固定してなり、ブラケット19，19が支柱12を挟むように、該支柱12の両側面にそれぞれ固定される。
【００３２】
そして、ブラケット19を用いることにより、外付手摺体14を支柱12と離れた位置に設けることができ、図５に示すように、外側手摺体14の縦桟18は、上面３より外側に位置し、且つ縦桟18の下端は、前記上面３より下方で、前記外面４と間隔を置いて外側に位置している。
【００３３】
この例の雨水ガイド体31は、複数の前記縦桟18にそれぞれ設けられるものである。前記縦桟18の下端には前記蓋体18Ｆを設けておらず、該縦桟18の下端を開口し、この下端開口18Ｋに挿入嵌合される嵌合部32を、雨水ガイド体31の上部に備え、この雨水ガイド体31は、前記縦桟18の取付部長さ方向の幅Ｈと略同一幅であって、雨水ガイド体21の取付部外側面33Ｓが下に行くに連れて外側に向って湾曲すると共に、その取付部内側面33Ｕが下に行くに連れて外側に向かって湾曲し、それら外側面33Ｓと内側面33Ｕとの間隔が下に行くに連れて近付くことにより、雨水ガイド体31は下端に向って先細りとなっている。
【００３４】
このように本実施例では、請求項１に対応して、上記各実施例と同様な作用・効果を奏し、また、このように本実施例では、請求項３に対応して、外付手摺体14は複数の縦桟18を有し、これら縦桟18，18…の下部にそれぞれ雨水ガイド体31を設け、これら雨水ガイド体31の下部を取付部たるパラペット２の外面４より外側に配置したから、縦桟18に沿って流れ落ちる雨水は、そのまま雨水ガイド体31の下部から落下するため、建物１の外面４に伝って汚れた雨水が流れ落ちることを防止できる。
【００３５】
また、実施例上の効果として、雨水ガイド体31が縦桟18の高さ方向に連続して表れ、しかも、雨水ガイド体31が下に行くに従って外側に向って湾曲する形状をなすため、手摺11が全体的に縦長な印象を与え、且つ雨水ガイド体31の屈曲形状が意匠性に優れた外観を呈するものとなる。さらに、雨水ガイド体31は上部に、該縦桟18の下端開口18Ｋに挿入嵌合される嵌合部32を有するから、下端開口18Ｋに嵌合部32を挿入嵌合して雨水ガイド体31を簡便に取り付けることができる。
【実施例３】
【００３６】
図８〜図９は、本発明の実施例３を示し、上記各実施例と同一部分に同一符号を付し、その詳細な説明を省略して詳述すると、この例の外付手摺体14Ａは、前記縦桟18の上下に、外上桟41と外下桟42とを横設して一体に取り付けてなる。尚、外上桟41は断面が方形であり、外下桟42は下部が開口した略コ字型をなす。尚、この例では、支柱12を上面３の内外方向中央よりやや内側に配置している。
【００３７】
また、固定部材15Ｂは、山形鋼などからなるブラケット43を上下に備え、このブラケット43に短辺部43Ｔを前記支柱12をボルトなどの取付手段44により固定し、上側のブケット43の長辺部を前記外上桟41の上面にビスなどの取付手段45により取付固定し、下側のブラケット43の長辺部を前記外下桟42の上面に前記取付手段45により取付固定してなる。すなわち、この例では、固定部材15Ｂは、ブラケット43と取付手段44，45を備える。尚、ブラケット43は複数の支柱12に対して、適宜数の支柱12に取り付けられる。
【００３８】
また、この例では雨水ガイド体21Ａには案内部25は設けられておらず、その立壁部23が、ビスなどの取付手段46により支柱12の外側面に固定されており、受け面22は略４５度程度に傾斜し、垂設部26の下端が前記外面３より外側に位置する。
【００３９】
このように本実施例では、請求項１，２及び４に対応して、上記各実施例と同様な作用・効果を奏し、また、雨水ガイド体21Ａを支柱12に取り付けるから、取付構造が簡単になると共に、外付手摺体14Ａから比較的離れた位置に雨水ガイド体21Ａの上部側を設けることができるため、雨水ガイド体21Ａから流れ落ちる雨水を確実に受けることができる。
【実施例４】
【００４０】
図１０〜図１１は、本発明の実施例４を示し、上記各実施例と同一部分に同一符号を付し、その詳細な説明を省略して詳述すると、この例では、上記実施例３と同一構成の支柱12及び外付手摺体14Ａを備えた手摺において、前記雨水ガイド体21の立壁部23を、ビスなどの前記取付手段46と前記スペーサ24とを用いて、前記外下桟42の取付部内外方向の内面42Ｎに固定し、すなわちスペーサ24に挿通した取付手段46により前記雨水ガイド体21Ａを外付手摺体14Ａの横下桟に固定し、前記外付手摺体14Ａと立壁部23との間に隙間Ｓを設けている。
【００４１】
このように請求項１，２及び４に対応して、上記各実施例と同様な作用・効果を奏する。
【実施例５】
【００４２】
図１２は、本発明の実施例５を示し、上記各実施例と同一部分に同一符号を付し、その詳細な説明を省略して詳述すると、この例では、外付手摺体14Ａは、複数の縦桟18の代わりに、前記外上桟41と外下桟42との間に、板材たるアルミ複合パネルなどのパネル51を設けており、このパネル51の上下は、外上桟41と外下桟42に設けたパネル押さえ52，52に端部を装着している。尚、前記パネル51は、各種材質のものを用いることができ、例えばガラスパネルなどでもよい。
【００４３】
このように請求項１，２及び４に対応して、上記各実施例と同様な作用・効果を奏する。
【００４４】
以上、本発明の実施形態について詳述したが、本発明は前記各実施形態に限定されるものではなく、本発明の要旨の範囲内で種々の変形実施が可能である。例えば、雨水ガイド体は外付手摺体と離して設けることが好ましいが、雨水ガイド体の下面側が取付部に接していてもよいし、雨水ガイド体と取付部との間にサポートなどを設けてもよい。
【図面の簡単な説明】
【００４５】
【図１】本発明の実施例１を示す手摺の縦断面図である。
【図２】同上、雨水ガイド体の拡大断面図である。
【図３】同上、手摺の平面説明図である。
【図４】同上、手摺の正面図である。
【図５】本発明の実施例２を示す手摺の縦断面図である。
【図６】同上、手摺の平面説明図である。
【図７】同上、手摺の正面図である。
【図８】本発明の実施例３を示す手摺の縦断面図である。
【図９】同上、雨水ガイド体の拡大断面図である。
【図１０】本発明の実施例４を示す手摺の縦断面図である。
【図１１】同上、雨水ガイド体の拡大断面図である。
【図１２】本発明の実施例４を示す手摺の縦断面図である。
【符号の説明】
【００４６】
１  建物
２  パラペット（取付部）
３  上面
４  外面
11  手摺
12  支柱
13  上横桟
14，14Ａ  外付手摺体
18Ｎ  内面
21  雨水ガイド体
22  受け面
26Ａ  湾曲部（雨水ガイド体の下部）
31  雨水ガイド体
【図１】
2007231638.tif 000003
【図２】
2007231638.tif 000004
【図３】
2007231638.tif 000005
【図４】
2007231638.tif 000006
【図５】
2007231638.tif 000007
【図６】
2007231638.tif 000008
【図７】
2007231638.tif 000009
【図８】
2007231638.tif 000010
【図９】
2007231638.tif 000011
【図１０】
2007231638.tif 000012
【図１１】
2007231638.tif 000013
【図１２】
2007231638.tif 000014